(57)【特許請求の範囲】
【請求項１】
径が小さくなるように変形する輪と、
前記輪に接続された帯状部と、
前記輪を保持可能な保持体と、
前記保持体内に圧縮した状態で収納されうるスプリングと、
踏み板と、
前記輪の径の大きさを変える止め部とを備え、
動物が前記輪にかかる前は、前記スプリングが前記保持体内に圧縮した状態で収納されているとともに、前記帯状部が前記保持体に固定されていることにより前記輪が前記保持体に保持され、
動物が前記踏み板を踏むことにより前記スプリングが伸長し、伸長した前記スプリングの一端が前記止め部を移動させることにより前記輪の径の大きさが変わり、
動物が前記輪にかかった後は、動物が前記輪にかかる前よりも前記輪の径が小さいとともに、前記輪が前記保持体から離脱し、
前記輪に発信機が取り付けられていることを特徴とする発信機装着装置。
【請求項２】
径が小さくなるように変形する輪と、
前記輪を保持可能な保持体と、
前記輪と前記保持体との間に配置される補助具と、
前記補助具の上方に配置される踏み板と、
前記輪に取り付けられた発信機とを備え、
前記保持体は、動物が前記輪にかかった後の前記輪の径より大きい径を有する筒状に形成され、
動物が前記輪にかかる前に、前記輪は前記保持体の径より大きい状態で前記補助具によって前記保持体に保持され、
前記動物が踏み板を踏むことで前記補助具が動くことにより、前記輪が前記補助具から離脱し、
動物が前記輪にかかった後は、動物が前記輪にかかる前よりも前記輪の径が小さいことを特徴とする発信機装着装置。
【請求項３】
前記輪又は前記帯状部には他の部分より引張強度が低い低強度部が形成されていることを特徴とする請求項１に記載の発信機装着装置。
【請求項４】
前記輪の少なくとも一部が前記発信機のアンテナであることを特徴とする請求項１又は２に記載の発信機装着装置。
【請求項５】
前記輪又は前記帯状部の少なくとも一部が前記発信機のアンテナであることを特徴とする請求項１又は３に記載の発信機装着装置。
【請求項６】
前記輪が伸縮可能な部材で形成されていることを特徴とする請求項１〜５のいずれか１項に記載の発信機装着装置。
【請求項７】
前記発信機は、ＧＰＳ発信機であることを特徴とする請求項１〜６のいずれか１項に記載の発信機装着装置。
【発明の詳細な説明】
【技術分野】
【０００１】
本発明は、動物に発信機を装着する発信機装着装置に関する。
【背景技術】
【０００２】
従来より、野生動物の生態調査や位置確認を行うため、様々な方法が実施されている。例えば、野生動物の目撃情報、動物の糞の量及び森林の被害状況等を基に野生動物の生態や位置を推測する方法がある（統計的調査）。また、光学的センサーやセンサーカメラ等を森林の複数箇所に配置し、感知した動物の数を数えたり、感知した動物を撮影したりする方法がある（センサー等による調査）。しかしこれらの方法には、下記の問題がある。
【０００３】
統計的調査では、最短でも１年に１回程度の間隔でしか調査できないため、誤差が大きい。また、各動物の位置情報やリアルタイムの位置情報を把握することができない。したがって、統計的調査で得られた結果は、精度が低いものとなる。
【０００４】
また、センサー等による調査では、得られる情報がセンサー等で感知可能な範囲に限られる。広範囲の情報を得るには多数の場所にセンサー等を設置しなければならず、相当な費用がかかる。また、センサーにより野生動物の数を認識することはできても、各動物を識別することはできないため、各動物の動的生態特性（移動距離等）を調査することができない。
【０００５】
そこで、別の方法として、野生動物を捕獲し、捕獲した野生動物にＧＰＳ等の発信機を装着した後に、野生動物を森林や牧場等に再び放つ方法がある（特許文献１参照）。この方法では、発信機から送られた信号を基に、各動物の位置情報及び動的生態特性をリアルタイムで把握することができる。また、センサー等による調査では、調査範囲がセンサー等の設置場所に制限されるが、この制限がない。
【先行技術文献】
【特許文献】
【０００６】
【特許文献１】特開平１０−２１３６５５号公報
【発明の概要】
【発明が解決しようとする課題】
【０００７】
しかし、上記方法では人間（作業者）が動物に発信機を装着するため、作業者の労力と危険が伴う。また、生態調査の精度を上げるには多くの動物に発信機を装着する必要があり、作業者の労力と危険が増す。
【０００８】
そこで、本発明は、動物に発信機を簡易に装着することができる装置を提供することを目的とする。
【課題を解決するための手段】
【０００９】
本発明の発信機装着装置は、径が小さくなるように変形する輪と、前記輪に接続された帯状部と、前記輪を保持可能な保持体と、前記保持体内に圧縮した状態で収納されうるスプリングと、踏み板と、前記輪の径の大きさを変える止め部とを備え、動物が前記輪にかかる前は、前記スプリングが前記保持体内に圧縮した状態で収納されているとともに、前記帯状部が前記保持体に固定されていることにより前記輪が前記保持体に保持され、動物が前記踏み板を踏むことにより前記スプリングが伸長し、伸長した前記スプリングの一端が前記止め部を移動させることにより前記輪の径の大きさが変わり、動物が前記輪にかかった後は、動物が前記輪にかかる前よりも前記輪の径が小さいとともに、前記輪が前記保持体から離脱する。前記輪には、発信機が取り付けられている。
【００１０】
上記構成では、動物の足に輪がかかると、輪とともに発信機が動物の足に装着されるため、動物に発信機を簡易に装着することができる。
【００１１】
別の観点として、本発明の発信機装着装置は、径が小さくなるように変形する輪と、前記輪を保持可能な保持体と、前記輪と前記保持体との間に配置される補助具と、前記補助具の上方に配置される踏み板と、前記輪に取り付けられた発信機とを備え、前記保持体は、動物が前記輪にかかった後の前記輪の径より大きい径を有する筒状に形成され、動物が前記輪にかかる前に、前記輪は前記保持体の径より大きい状態で前記補助具によって前記保持体に保持され、前記動物が踏み板を踏むことで前記補助具が動くことにより、前記輪が前記補助具から離脱し、動物が前記輪にかかった後は、動物が前記輪にかかる前よりも前記輪の径が小さい。
【００１２】
上記構成では、動物の足に輪がかかると、輪とともに発信機が動物の足に装着されるため、動物に発信機を簡易に装着することができる。また、輪より大きな径の保持体と、輪を保持体に保持する補助具とを用いることで、動物に輪と発信機を簡易に装着することができる。また、輪を補助具及び保持体から簡易に離脱させることができる。
【００１３】
或いは、上記構成において、前記輪又は前記帯状部には他の部分より引張強度が低い低強度部が形成されていることが好ましい。
【００１４】
上記構成では、動物が輪にかかった後は、動物が発信機装着装置から離れようとすると、輪及び帯状部が引っ張られ、低強度部で切れる。これにより輪が保持体から離脱するため、動物が開放される。
【００１５】
また、上記構成において、前記輪又は前記帯状部の少なくとも一部が前記発信機のアンテナであることが好ましい。
【００１６】
上記構成ではアンテナの長さの自由度を高めることができる。これにより発信機の信号を受信できる範囲を調整することができる。
【００１７】
また、上記構成において、前記輪が伸縮可能な部材で形成されていることが好ましい。
【００１８】
上記構成では、輪が伸縮可能であるため、動物の足を締め付けない。これにより、動物は、足に輪と発信機が装着された状態で、自由に移動できる。
【００１９】
前記発信機は、ＧＰＳ発信機であることが好ましい。ＧＰＳ発信機が動物に装着されていると、ＧＰＳ発信機により動物の正確な位置情報を得ることができる。
【発明の効果】
【００２０】
本発明は、動物の足に輪がかかると、輪とともに発信機が動物の足に装着されるため、動物に発信機を簡易に装着することができる。
【図面の簡単な説明】
【００２１】
【図１】第１実施形態に係る発信機装着装置の模式図である。
【図２】（ａ）及び（ｂ）は動物の足に発信機が装着される過程を順に説明する模式図である。
【図３】（ａ）及び（ｂ）は動物の足に発信機が装着された後を順に説明する模式図である。
【図４】動物に装着された発信機の信号を受信し、動物の位置情報及び動的生態特性を得る方法を説明する模式図である。
【図５】動物に装着された発信機の信号を受信し、動物の位置情報及び動的生態特性を得る他の方法を説明する模式図である。
【図６】動物に装着された発信機の信号を受信し、動物の位置情報及び動的生態特性を得る他の方法を説明する模式図である。
【図７】第２実施形態に係る発信機装着装置の模式図である。
【図８】（ａ）及び（ｂ）は動物の足に発信機が装着される過程を順に説明する模式図である。
【図９】（ａ）は動物の足に発信機が装着される過程を順に説明する模式図であり、（ｂ）は動物の足に発信機が装着された後を説明する模式図である。
【発明を実施するための形態】
【００２２】
〔第１実施形態〕
図１には、発信機装着装置１を森林等に設置した状態を示している。発信機装着装置１は、ワイヤ２と、細長い筒状の保持体３と、保持体３内に収納されたスプリング４と、スプリング４の上端を保持する金具５と、金具５に接続された踏み板６とを有している。ワイヤ２には、止め具７が取り付けられている。止め具７（止め部）には、発信機８が取り付けられている。保持体３は、図示しない穴に上下方向に延在するように配置され、地面の高さより上方に突出していない。踏み板６の下には、別の穴１１がある。
【００２３】
ワイヤ２は、一本の部材からなり、輪２１と、輪２１に接続された帯状部２２とを有している。輪２１は、踏み板６を囲むように、地面に配置されている。帯状部２２は、保持体３内で、上下方向に延在するように配置されている。帯状部２２の下端部は、保持体３の底部に固定されている。
【００２４】
輪２１は、止め具７でワイヤ２の先端部２ｔをワイヤ２の途中に保持することによって形成されている。止め具７は、ワイヤ２に摺動可能に取り付けられている。止め具７によるワイヤ２の保持位置を変えることで、輪２１の径の大きさ及び帯状部２２の長さが変わる。
【００２５】
発信機８には、例えば、ＧＰＳ発信機又は特定小電力無線機を用いることができる。
【００２６】
ワイヤ２には、先端部２ｔから少し離れた部分に切り込み２Ａが形成されている。切り込み２Ａが形成された部分（低強度部）は、ワイヤ２の他の部分より細いため、ワイヤ２の他の部分より引張強度が低い。図１では、切り込み２Ａ（低強度部）が輪２１に存在するが、止め具７の保持位置が変わることで、切り込み２Ａ（低強度部）が帯状部２２に存在するようになる（図３(ａ)参照）。
【００２７】
ワイヤ２の少なくとも一部には、伸縮可能な部材（例えばゴムやスプリング等の弾性部材）が用いられている。また、ワイヤ２の先端部２ｔ周辺には、発信機８のアンテナとして機能する部材（例えば金属線）が用いられている。本実施形態では、ワイヤ２の切り込み２Ａより先端部２ｔ側の少なくとも一部にアンテナとして機能する金属線等が用いられている。例えば、伸縮可能な部材とアンテナとして機能する部材とがワイヤ２の長手方向に並び、これらが接続されていてもよい。
【００２８】
スプリング４は、帯状部２２を取り巻くように巻き回されている。図１では、スプリング４が、圧縮した状態で保持体３に収納されている。スプリング４は、ワイヤ２の長手方向に伸縮する。
【００２９】
金具５は、棒５１と、棒５１の径方向に突出したピン５２とを有している。棒５１は、穴１１において、踏み板６の下方に配置されている。ピン５２は、保持体３の側部に形成された貫通孔３１を通過して、スプリング４の上端に載置されている。これによりスプリング４は、圧縮した状態に維持されている。
【００３０】
踏み板６は、棒５１の上端部に固定されている。踏み板６は、穴１１の開口を塞ぐように配置されている。図１では踏み板６が板状の部材であるが、踏み板６は穴１１の開口より大きいゴム状の部材、シート状の部材又は膜状の部材等でもよい。踏み板６がゴム状の部材、シート状の部材又は膜状の部材等であるとき、動物が踏み板６を踏むと、踏み板６が凹状に撓む。
【００３１】
動物が踏み板６を踏むと、図２（ａ）に示すように、踏み板６が穴１１に落ちるとともに金具５が倒れ、ピン５２がスプリング４の上端から外れる。スプリング４は伸長し、止め具７を押す。止め具７は摺動しながらワイヤ２の先端部２ｔに近付いていくことで、輪２１の径が小さくなっていく。一方、帯状部２２は長くなっていく。輪２１が動物の足の大きさになると（図２(ｂ)参照）、輪２１が動物の足にかかる。また、止め具７に取り付けられた発信機８が動物の足に装着される。この状態では、ワイヤ２の切り込み２Ａ（低強度部）が帯状部２２に存在する。
【００３２】
動物が逃げようとすると、ワイヤ２の帯状部２２は引っ張られ、切り込み２Ａから裂けて切れる（図３(ａ)及び図３(ｂ)参照）。輪２１には、帯状部２２の切り込み２Ａより先端側の部分（第１部分帯状部２２ａ）が接続されている。帯状部２２の残りの部分（第２部分帯状部２２ｂ）は、保持体３に保持されている。動物は、足に輪２１と発信機８を装着した状態で、自由に移動可能となる（図３(ｂ)参照）。輪２１又は第１部分帯状部２２ａの少なくとも一部には、アンテナとして機能する部材（例えば金属線）が用いられている。
【００３３】
発信機８の信号を受信し、この信号を解析することにより、動物の位置情報及び動的生態特性を得ることができる。この方法として、例えば以下の方法がある。
【００３４】
図４に示すように、発信機から通信可能な区域Ａ,Ｂ,Ｃ・・・に分け、それぞれの区域に中継局ａ,ｂ,ｃ・・・を設置する。各中継局ａ,ｂ,ｃ・・・には、図示しない受信機が配置されている。発信機８が装着された動物が区域Ｂに存在するときは、発信機８の信号を区域Ｂにある中継局ｂで受信する。動物が区域Ｂから区域Ｄに移動すると、区域Ｄにある中継局ｄで発信機８の信号を受信する。動物が区域Ｄから区域Ｈに移動すると、区域Ｈにある中継局ｈで発信機８の信号を受信する。受信した信号は、別の場所に配置された小屋等（図示せず）へ送られる。小屋等に待機している調査者は、その信号を基に、動物の位置や動的生態特性等をリアルタイムに把握することができる。
【００３５】
また、他の方法として、図５に示すように、ドローン等の移動体１００を上空で飛行させ、移動体１００に搭載された受信機（図示せず）で発信機８の信号（ＩＤ情報）を受信する方法がある。発信機８の信号と移動体１００の位置情報は、調査者が待機している小屋等（図示せず）に送られる。調査者は、送られた信号と移動体１００の位置情報を基に、動物の位置や動的生態特性等をリアルタイムに把握することができる。また、移動体１００の受信機に発信機８の信号を蓄積し、所定時間経過後に移動体１００を小屋等へ移動させてもよい。
【００３６】
その他の方法として、複数の狩猟者が受信機を携帯する方法がある。複数の狩猟者（例えば狩猟者Ｘ及び狩猟者Ｙ）が発信機８の信号を受信して、動物の位置を把握することができる。これにより、狩猟者Ｘ及び狩猟者Ｙが、例えば交差する方向から動物を狙うことができるため（図６参照）、動物の捕獲率を高くすることができる。
【００３７】
以上に述べたように、本実施形態の発信機装着装置１によると以下の効果を奏する。
動物が踏み板６を踏むと、金具５が倒れ、スプリング４の上端からピン５２が外れる。これによりスプリング４が伸長し、止め具７を押す。止め具７はワイヤ２の先端部に近付くことで、輪２１の径が小さくなり、輪２１が動物の足にかかる。また、発信機８が動物の足に装着される。このように輪２１が動物の足にかかると、発信機８が動物の足に装着されるため、動物に発信機８を簡易に装着することができる。
【００３８】
また、動物の足に輪２１が掛かった後、切り込み２Ａが形成された部分（低強度部）は帯状部２２にある。ワイヤ２の切り込み２Ａが形成された部分（低強度部）は他の部分より細く、引張強度が低い。したがって、動物がその場を離れようとすると、ワイヤ２が引っ張られ、切り込み２Ａで裂けて切れる。これにより輪２１が保持体３から離脱するため、動物が開放される。
【００３９】
また、切り込み２Ａはワイヤ２の先端部２ｔに近い位置に形成されているため、輪２１が動物の足にかかる前は、切り込み２Ａが輪２１に存在し、動物の足に輪２１がかかった後は、切り込み２Ａが帯状部２２の輪２１に近い位置に存在する（図３(ａ)参照）。これにより、ワイヤ２が切れた後、輪２１から垂れ下がる第１部分帯状部２２ａの長さが短くなるため、動物が自由に移動しやすい。
【００４０】
また、ワイヤ２の少なくとも一部が伸縮可能な部材から形成されているため、輪２１が動物の足を締め付けない。これにより動物の足が輪２１によって傷付けられたり壊死したりする心配がなく、動物が自由に移動できる。
【００４１】
また、ワイヤ２の少なくとも一部を発信機８のアンテナとして利用することで、アンテナの長さをワイヤ２の長さの範囲で変えることができるため、アンテナの長さの自由度が高まる。これにより発信機の信号を受信できる範囲を調整することができる。
【００４２】
また、発信機８にＧＰＳ発信機を用いたときは、ＧＰＳ発信機により動物の正確な位置情報を得ることができる。
【００４３】
〔第２実施形態〕
次に、本発明の第２実施形態について、図７〜図９を参照しつつ説明する。第２実施形態において第１実施形態と異なる点は、動物の足に発信機を装着する構成である。なお、上述した第１実施形態と同一の構成については同一の符号を用い、その説明を適宜省略する。
【００４４】
図７には、発信機装着装置２０１を森林等に設置した状態を示している。発信機装着装置２０１は、輪２０２と、筒状の保持体２０３と、保持体２０３が収容された筒体２０４と、輪２０２を保持体２０３に保持する４つの補助具２０５と、４つの補助具２０５の上方に配置された踏み板２０６とを備えている。輪２０２には、発信機８が取り付けられている。図７では、４つの補助具２０５のうち３つの補助具２０５が視認可能な位置にある。
【００４５】
発信機装着装置２０１は、穴２１１に配置されている。穴２１１は、保持体２０３、筒体２０４及び補助具２０５が地面の高さより上方に位置しない深さに形成されている。
【００４６】
輪２０２は、保持体２０３の外側に配置されている。輪２０２と保持体２０３との間には、４つの補助具２０５が等間隔に配置されている。図７では、輪２０２が伸長し、輪２０２の径が保持体２０３の径より大きい状態を図示している。輪２０２の保持体２０３への保持が解除されたとき、輪２０２の径は保持体２０３の径より小さい（図９(ａ)参照）。
【００４７】
輪２０２には、伸縮可能な部材（例えばゴムやスプリング等の弾性部材）が用いられている。また、輪２０２には、発信機８のアンテナとして機能する部材（例えば金属線）が用いられている。例えば、伸縮可能な部材とアンテナとして機能する部材とが輪２０２の周方向に並び、これらが接続されていてもよい。
【００４８】
補助具２０５は、第１方向に延在した第１延在部２２１と、第１延在部２２１と反対方向に延在した第２延在部２２２と、第１延在部２２１と第２延在部２２２との境界部分から第２延在部２２２とＶ字形状を形成するように延在した第３延在部２２３とを有している。第１延在部２２１と第２延在部２２２との境界部分が、保持体２０３の上縁部２０３ｕに載置されている。第１延在部２２１は保持体２０３の上方に配置され、第２延在部２２２及び第３延在部２２３は保持体２０３より径の大きい部分に配置されている。第１延在部２２１と第２延在部２２２は、水平になるように配置されている。第３延在部２２３は、第２延在部２２２より低い位置に配置されている。第３延在部２２３は、輪２０２と保持体２０３との間に配置されている。
【００４９】
補助具２０５は、保持体２０３の上縁部２０３ｕに、第１延在部２２１と第２延在部２２２との境界部分を中心に回転可能に取り付けられている（図７及び図８(ａ)参照）。
【００５０】
輪２０２が４本の補助具２０５によって保持体２０３に保持されている状態で、輪２０２と保持体２０３と４本の補助具２０５とが筒体２０４に収容されている（図７参照）。
【００５１】
踏み板２０６は、保持体２０３の上端開口２０３ａを塞ぐように、４つの補助具２０５の第１延在部２２１の上に配置されている。図７では、踏み板２０６が板状の部材である場合を図示しているが、踏み板２０６は保持体２０３の上端開口２０３ａより大きいゴム状の部材、シート状の部材又は膜状の部材等であってもよい。
【００５２】
動物が踏み板２０６を踏むと、図８（ａ）に示すように、踏み板２０６が第１延在部２２１を押し下げることで、４つの補助具２０５が回転する。輪２０２は第３延在部２２３によって押し上げられ、補助具２０５から上方に飛び出す（図８(ｂ)参照）。輪２０２は収縮することで径が小さくなっていき、動物の足の大きさになる（図９(ａ)参照）。輪２０２が動物の足にかかると、輪２０２に取り付けられた発信機８が動物の足に装着される。
【００５３】
輪２０２は保持体２０３及び４つの補助具２０５から離脱しているため、動物は、輪２０２と発信機８を装着した状態で、自由に移動することができる（図９(ｂ)参照）。
【００５４】
発信機８の信号を受信し、この信号を解析することにより、動物の位置情報及び動的生態特性を得ることができる。この方法として、第１実施形態と同様に、中継局を利用する方法、ドローン等の移動体を利用する方法、及び狩猟者が受信機を携帯する方法等を利用することができる（図４,図５及び図６参照）。
【００５５】
以上に述べたように、本実施形態の発信機装着装置２０１によると以下の効果を奏する。
動物が踏み板２０６を踏むと、補助具２０５が回転することで、輪２０２が補助具２０５から飛び出す。輪２０２は収縮することで、径が小さくなり、輪２０２が動物の足にかかる。また、輪２０２に取り付けられた発信機８が動物の足に装着される。このように動物の足に輪２０２がかかると、発信機８が動物の足に装着されるため、動物に発信機８を簡易に装着することができる。
【００５６】
また、補助具２０５を用いて輪２０２を伸長させた状態で保持体２０３に保持し、補助具２０５を回転させることで輪２０２の保持を解除するという簡易な構成で、動物に輪２０２と発信機８を装着することができる。また、輪２０２を保持体２０３及び補助具２０５から簡易に離脱させることができる。
【００５７】
また、輪２０２の少なくとも一部を発信機８のアンテナとして利用することで、アンテナの長さを輪２０２の長さの範囲で変えることができるため、アンテナの長さの自由度が高まる。これにより発信機の信号を受信できる範囲を調整することができる。
【００５８】
また、発信機８にＧＰＳ発信機を用いたときは、ＧＰＳ発信機により動物の正確な位置情報を得ることができる。
【００５９】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【００６０】
例えば、上述の第１実施形態ではワイヤ２を用い、第２実施形態では輪２０２を用いたが、ワイヤ２と輪２０２にはワイヤに代えて他の素材を用いてもよい。例えば、ひも状のもの、ロープ状のもの、スプリング等を用いてもよい。
【００６１】
また、上述の第１実施形態では、動物の足に掛かった輪２１又は輪２１につながった第１部分帯状部２２ａの少なくとも一部がアンテナとして機能しているが、輪２１及び第１部分帯状部２２ａの両方にアンテナとして機能する部材を用い、輪２１及び第１部分帯状部２２ａの両方がアンテナとして機能してもよい。
【００６２】
また、上述の第１実施形態では、動物の足に掛かった輪２１又は輪２１につながった第１部分帯状部２２ａの少なくとも一部がアンテナとして機能している。また、第２実施形態では、動物の足に掛かった輪２０２の少なくとも一部がアンテナとして機能している。しかし、輪２１及び輪２０２がアンテナとして機能せず、発信機８にアンテナが内蔵されていてもよい。
【００６３】
また、上述の第１実施形態では、ワイヤ２に切り込み２Ａを形成することで、他の部分より引張強度が低い低強度部を形成しているが、低強度部は切り込み２Ａ以外の方法で形成してもよい。例えば、他の部分と太さを変える又は材質を変えることによって、ワイヤに他の部分より引張強度が低い低強度部を形成してもよい。また、ワイヤに低強度部を形成せず、ワイヤを引っ張ると最も力がかかった部分でワイヤが切れるような材質のものを用いてもよい。
【００６４】
また、上述の第１実施形態では、輪２１が動物の足にかかる前は、切り込み２Ａが輪２１に存在し、動物の足に輪２１がかかった後は、切り込み２Ａが帯状部２２に存在するが、輪２１が動物の足にかかる前も後も切り込み２Ａが輪２１に存在していてもよい。
【００６５】
また、上述の第１実施形態では、ワイヤ２の少なくとも一部に伸縮可能な部材を用いているが、ワイヤ２のうち輪２１を形成する部分だけに伸縮可能な部材を用いてもよい。輪２１を形成する部分とは、動物の足に輪２１がかかった後に動物の足に装着された部分である。また、輪２１を形成する部分の一部のみが伸縮可能な部材で形成されていてもよい。
【００６６】
また、上述の第２実施形態では、補助具２０５が、第１延在部２２１と第２延在部２２２との境界部分を中心に回転可能に保持体２０３の上縁部２０３ｕに取り付けられているが（図７参照）、補助具２０５が保持体２０３の上縁部２０３ｕに載置されているだけでもよい。
【００６７】
また、補助具２０５の形状は上述した形状に限られず、変更可能である。例えば、補助具に棒状の部材を用いてもよい。この場合、保持体２０３の上縁部２０３ｕに、４つの棒状の部材を等間隔に配置する。また、４つの棒状の部材を、保持体２０３の径方向に延在するように、水平に配置する。そして、輪２０２を４つの棒状の部材の最外端に引っ掛ける。これにより、輪２０２が４つの棒状の部材（補助具）によって保持体２０３に保持される。また、上記例において、４つの棒状の部材を傾斜させてもよい。例えば、棒状の部材を、最内端（一端）が保持体２０３内に配置されるように、つまり、最内端（一端）が最外端（他端）より低い高さに位置するように傾斜させてもよい。
【００６８】
また、補助具が保持体２０３の周方向に延在した帯状に形成されていてもよい。また、第２実施形態では、第１延在部２２１と第２延在部２２２とが反対方向に延在し、第１延在部２２１と第２延在部２２２とのなす角が１８０°であるが、第１延在部２２１と第２延在部２２２とのなす角（第３延在部２２３が存在しない部分の角）が鈍角であってもよい。
【００６９】
また、動物の足に輪をかける装置及び方法は、上述の第１実施形態及び第２実施形態で説明した装置及び方法に限定されず、様々な装置及び方法を利用することができる。
【００７０】
また、上述の第１実施形態及び第２実施形態では、発信機の受信方法として、中継局を利用する方法、ドローン等の移動体を利用する方法、及び狩猟者が受信機を携帯する方法を説明したが、これらの方法に限定されない。
【符号の説明】
【００７１】
１,２０１         発信機装着装置
２                ワイヤ
２Ａ              切り込み
３,２０３         保持体
４                スプリング
５                金具
６,２０６         踏み板
７                止め具
８                発信機
２１,２０２       輪
２２              帯状部
２２ａ            第１部分帯状部
２０５            補助具
【図１】
0006404850.tif 000002
【図２】
0006404850.tif 000003
【図３】
0006404850.tif 000004
【図４】
0006404850.tif 000005
【図５】
0006404850.tif 000006
【図６】
0006404850.tif 000007
【図７】
0006404850.tif 000008
【図８】
0006404850.tif 000009
【図９】
0006404850.tif 000010